(57)【要約】【課題】小型携帯端末に要求される小型化を満たすように発光素子を追加せずに二次電池の充電完了状態の認識度を向上させる小型携帯端末を提供する。【解決手段】本発明の小型携帯端末１は、二次電池９の充電状態を表示する第１の発光素子１２と、使用機能状態を表示する第２の発光素子１３とを具備し、二次電池９の充電中には第１の発光素子１２を点灯させ、二次電池９の充電完了時には第１の発光素子１２を消灯させ、第２の発光素子１３を点灯させる表示制御手段１７を備える。表示制御手段１７は、二次電池９の充電状態を表示させるように第１の発光素子１２を制御し、使用機能状態を表示させるように第２の発光素子１３を制御するコントローラ１４と、二次電池９の充電完了時に第２の発光素子１３を点灯させるように駆動させる発光素子駆動回路１５とを有する。【選択図】図１
2007209172.tif 000002
【特許請求の範囲】
【請求項１】
発光色が互いに異なる第１の発光素子および第２の発光素子を具備し、二次電池の充電状態を第１の発光素子によって表示し、使用機能状態を第２の発光素子によって表示する小型携帯端末において、
二次電池の充電中には第１の発光素子を点灯させ、二次電池の充電完了時には第１の発光素子を消灯させ、第２の発光素子を点灯させる表示制御手段を備えることを特徴とする小型携帯端末。
【請求項２】
前記表示制御手段は、
二次電池の充電状態を表示させるように第１の発光素子を制御し、使用機能状態を表示させるように第２の発光素子を制御するコントローラと、
二次電池の充電完了時に第２の発光素子を点灯させるように駆動させる発光素子駆動回路とを有し、
コントローラは、第１の発光素子を、二次電池が充電中である場合には点灯させ、二次電池が充電完了した場合には消灯させるように制御し、
発光素子駆動回路は、第１の発光素子のＯＦＦ信号および二次電池用チャージャの挿入信号が入力されると、第２の発光素子を点灯させる請求項１に記載の小型携帯端末。
【請求項３】
前記第２の発光素子は、小型携帯端末が使用機能状態である場合に、使用機能状態に応じた所定のパターンにて点滅する請求項１または請求項２に記載の小型携帯端末。
【請求項４】
前記第２の発光素子は、小型携帯端末が使用機能状態である場合に、二次電池が充電完了した場合の輝度とは異なる輝度で点滅する請求項３に記載の小型携帯端末。
【請求項５】
前記二次電池が充電中であり、かつ小型携帯端末が使用機能状態である場合には、第１の発光素子が点灯すると共に、第２の発光素子が使用機能状態に応じた所定のパターンにて点滅する請求項１〜４のいずれかに記載の小型携帯端末。
【発明の詳細な説明】
【技術分野】
【０００１】
本発明は、二次電池の充電状態を発光素子によって表示する小型携帯端末に関する。
【背景技術】
【０００２】
従来から二次電池の充電状態を表示するために発光素子が用いられてきた。特にハンズフリーのヘッドセット等の小型携帯端末等に用いる二次電池の場合には小型化が必要とされるため、充電表示用の発光素子を複数用いずに二次電池の充電状態を明確に認識させる表示方法が提案されている（特許文献１および特許文献２参照）。例えば二次電池が充電中である場合に１個の発光素子を点灯させることにより、二次電池の充電中および充電完了を１個の発光素子によって表示する。
【０００３】
【特許文献１】特開平０３−７０２５号公報
【特許文献２】特開２００２−１９０３２７号公報
【発明の開示】
【発明が解決しようとする課題】
【０００４】
このような表示方法によると発光素子の消灯によって二次電池の充電完了状態を表示しているが、発光素子の消灯では二次電池の充電完了状態の認識が不十分となるおそれがある。
この充電完了状態の認識度を向上させるために使用機能状態表示用の発光素子を充電表示に用いてもよいが、以下の理由によって実現が困難であった。すなわち小型携帯端末の充電表示はコントローラのＣＰＵを構成するハードウェアのみで制御されており、充電表示用の発光素子のＯＮ／ＯＦＦ制御しかできない。またソフトウェアで使用機能状態表示用の発光素子を用いて充電表示の制御をするには小型携帯端末の基本制御を担うＣＰＵのファームウェアの変更が必要となるが、ファームウェアが記述されたメモリを書換えねばならず困難である。
【０００５】
本発明は、上記問題を解決するとともに、小型携帯端末に要求される小型化を満たすように発光素子を追加せずに二次電池の充電完了状態の認識度を向上させる小型携帯端末を提供することを目的とする。
【課題を解決するための手段】
【０００６】
本発明は、発光色が互いに異なる第１の発光素子および第２の発光素子を具備し、二次電池の充電状態を第１の発光素子によって表示し、使用機能状態を第２の発光素子によって表示する小型携帯端末において、二次電池の充電中には第１の発光素子を点灯させ、二次電池の充電完了時には第１の発光素子を消灯させ、第２の発光素子を点灯させる表示制御手段を備えることを特徴とする。
【０００７】
本発明では、二次電池の充電が完了すると充電状態を表示する第１の発光素子（例えば発光色が赤色である発光素子）が消灯するだけではなく、使用機能状態を表示する第２の発光素子（例えば発光色が緑色である発光素子）が点灯することにより、二次電池の充電完了状態の認識度を向上することができる。
【０００８】
上記表示制御手段は、二次電池の充電状態を表示させるように第１の発光素子を制御し、使用機能状態を表示させるように第２の発光素子を制御するコントローラと、二次電池の充電完了時に第２の発光素子を点灯させるように駆動させる発光素子駆動回路とを有し、コントローラは、第１の発光素子を、二次電池が充電中である場合には点灯させ、二次電池が充電完了した場合には消灯させるように制御し、発光素子駆動回路は、第１の発光素子のＯＦＦ信号および二次電池用チャージャの挿入信号が入力されると、第２の発光素子を点灯させてもよい。
【０００９】
本発明では、第１の発光素子のＯＦＦ信号および二次電池用チャージャの挿入信号が入力されると第２の発光素子を点灯させるように制御する発光素子駆動回路を具備することにより、コントローラに関して変更することなく、二次電池の充電完了状態の認識度を容易に向上することができる。
【００１０】
上記第２の発光素子は、小型携帯端末が使用機能状態である場合に、使用機能状態に応じた所定のパターンにて点滅してもよい。
【００１１】
本発明では、第２の発光素子が複数の使用機能状態（例えば通信状態やアクセス状態）に応じて所定のパターンにて点滅することにより、第２の発光素子のみによって複数の使用機能状態を表示することができる。
【００１２】
上記第２の発光素子は、小型携帯端末が使用機能状態である場合に、二次電池が充電完了した場合の輝度とは異なる輝度で点滅してもよい。
【００１３】
本発明では、充電完了状態と使用機能状態とにおいて第２の発光素子の輝度を変える（例えば第２の発光素子の輝度を高くする）ことにより、第２の発光素子のみで充電完了状態と使用機能状態とを明瞭に区別して表示することができる。
【００１４】
上記二次電池が充電中であり、かつ小型携帯端末が使用機能状態である場合には、第１の発光素子が点灯すると共に、第２の発光素子が使用機能状態に応じた所定のパターンにて点滅してもよい。
【００１５】
本発明では、二次電池が充電中であっても小型携帯端末の使用機能状態に応じて第２の発光素子が第１の発光素子の発光色をベース色として点滅することにより、二次電池の充電中に小型携帯端末が使用機能状態にあることを明瞭に表示することができる。
【発明の効果】
【００１６】
本発明は、充電表示用の発光素子だけではなく、小型携帯端末の使用機能状態を表示するための発光素子を充電表示のために用いることにより、充電表示用の発光素子を新たに追加することなく、二次電池の充電完了状態の認識度を向上させる小型携帯端末を提供することを可能とする。
【発明を実施するための最良の形態】
【００１７】
以下、本発明の実施形態を図面を参照して説明する。
図１は本発明の一実施形態である小型携帯端末の簡略ブロック図である。
【００１８】
本実施形態である小型携帯端末１は、例えばBluetooth規格による通信によって携帯型のＰＣ、ＰＤＡ、携帯電話、カーナビゲーション等の他の機器（以下、ＢＴ機器）とワイヤレスで接続できるハンズフリーのヘッドセット等である。
【００１９】
この小型携帯端末１は、図１に示されるように通信用アンテナ２と、送受信調整回路３と、マイクロフォン４と、スピーカ５と、発振回路６と、記憶手段７と、操作スイッチ手段８と、二次電池９と、ＤＣプラグ１０と、過電圧保護回路１１と、第１の発光素子１２および第２の発光素子１３と、コントローラ１４と、発光素子駆動回路１５とを有する。
【００２０】
通信用アンテナ２は送受信調整回路３を介してコントローラ１４に接続されている。送受信調整回路は、平衡・不平衡変換器であるbalunと、所定の周波数範囲の信号のみを通過させるＢＰＦ（Band-Pass Filter）とを有し、通信用アンテナ２の入出力信号とコントローラ１４の入出力信号との整合を図る。
【００２１】
マイクロフォン４はコントローラ１４に接続され、小型端末携帯１の使用者の音声を収音し、音声信号としてコントローラ１４に入力する。
スピーカ５はコントローラ１４に接続され、コントローラ１４から出力された音声信号を小型端末携帯１の使用者に音声出力する。
発振回路６はコントローラ１４に接続され、処理動作の基準となるクロック信号をコントローラ１４に出力する。
記憶手段７は例えばＳＤカードやメモリスティック等のメモリーカードであり、例えば送受信された音声データ等を記憶する。
【００２２】
操作スイッチ手段８は、コントローラ１４に接続され、機能（例えば録音機能および再生機能）選択スイッチ、音声調整スイッチ、ミュート機能スイッチおよび電源スイッチ等を有し、使用者が小型携帯端末１を操作する際に用いられる。
【００２３】
二次電池９は例えばリチウムイオン電池であり、コントローラ１４に内蔵されたチャージャ回路１６に接続されている。二次電池９の充電は、チャージャ回路１６に過電圧保護回路１１を介して接続されたＤＣプラグ１０に二次電池用チャージャ（図示せず）が挿入されることによって開始される。チャージャ回路１６は小型携帯端末１の各回路に二次電池９の電源を供給する。二次電池はリチウムイオン電池に限定されず、例えばニッケル水素電池、ニッケルカドミウム電池等であってもよい。
【００２４】
第１の発光素子１２および第２の発光素子１３は発光色が互いに異なる。本実施形態では第１の発光素子１２の発光色は赤色であり、第２の発光素子１３の発光色は緑色であり、これらニ個の発光素子は例えば発光ダイオード（ＬＥＤ）であり、一個のＬＥＤランプに設けられている。従って、第１の発光素子１２のみが点灯する場合にはＬＥＤランプは赤色で発光し、第２の発光素子１３が点灯する場合にはＬＥＤランプは緑色で発光し、両方の発光素子が点灯する場合にはＬＥＤランプは橙色に発光する。これら第１の発光素子１２および第２の発光素子１３は表示制御手段１７によって制御される。表示制御手段１７はコントローラ１４および発光素子駆動回路１５から構成されている。
【００２５】
コントローラ１４は、チャージャ回路１６に加え、図示はしていないが、Bluetooth規格による通信を可能にする近距離無線通信回路と、第１の発光素子１２および第２の発光素子１３を駆動制御する駆動回路と、Ａ／Ｄ変換およびＤ／Ａ変換を実行するＣＯＤＥＣと、上述した各回路やＣＯＤＥＣを制御し、コントローラ１４の入出力信号を処理するＣＰＵとを有する。近距離無線通信回路は２.４５ＧＨｚ帯での電波を通信用アンテナ２を介して利用し、１Ｍbpsでの音声や映像等のデータの送受信を半径１０ｍ程度の範囲で可能にする。ＣＯＤＥＣはマイクロフォン４から入力される音声信号をアナログ信号からデジタル信号にＡ／Ｄ変換したり、スピーカ５に出力する音声信号をデジタル信号からアナログ信号へとＤ／Ａ変換する。
【００２６】
コントローラ１４は、第１の発光素子１２に二次電池９の充電状態を表示させ、第２の発光素子１３に小型携帯端末１の使用機能状態を表示させるように制御する。より具体的には、コントローラ１４は、第１の発光素子１２を、二次電池９が充電中である場合には点灯させ、二次電池９が充電完了した場合には消灯させるように制御する。またコントローラ１４は、第２の発光素子１３を、小型携帯端末１が使用機能状態である場合に、使用機能状態に応じた所定のパターンにて点滅するように制御する。またコントローラ１４は、二次電池９が充電中であり、かつ小型携帯端末１が使用機能状態である場合には、第１の発光素子１２を点灯させると共に、第２の発光素子１３を使用機能状態に応じた所定のパターンにて点滅させるように制御する。なお発光素子の「点滅」とは、発光素子を瞬間的に明るく点灯させ（輝度を高くし）、次いで元の状態に戻すことをいう。例えば、発光素子が消灯している場合の発光素子の「点滅」とは、発光素子を点灯させ、次いで、消灯することをいう。また発光素子が所定の輝度にて点灯している場合の発光素子の「点滅」とは、発光素子をより高い輝度にて点灯させ、次いで元の輝度にて点灯を続行させることをいう。
【００２７】
発光素子駆動回路１５は、第１の発光素子１２の消灯による第１の発光素子のＯＦＦ信号および二次電池用チャージャの挿入信号が入力されると、第２の発光素子１３を点灯させる。二次電池用チャージャの挿入信号は、二次電池９の充電を開始しようと二次電池用チャージャをＤＣプラグ１０に挿入することによって発光素子駆動回路１５に入力される。また第１の発光素子のＯＦＦ信号は、第１の発光素子１２の消灯によって発光素子駆動回路１５に入力される。第１の発光素子１２は二次電池９が充電中でない場合に消灯するので、ＯＦＦ信号が入力されるのは二次電池９が充電中でない場合である。従ってこれら二つの信号によって発光素子駆動回路１５は、二次電池９が充電完了した場合に確実に第２の発光素子１３を点灯させることができる。
【００２８】
図２は本発明の一実施形態である小型携帯端末の発光素子駆動回路の一例を示した回路図である。図２中のＧＮＤはグラウンドを示す。発光素子駆動回路１５は、図２に示されているように、ＮＡＮＤ回路１８と、トランジスタ回路１９とを含む。
ＮＡＮＤ回路１８はＮＡＮＤゲート１８aおよび電源電圧ＶＣＣを含み、ＮＡＮＤゲート１８aの入力端子の一方には二次電池用チャージャの挿入信号が入力され、他方には第１の発光素子のＯＦＦ信号が入力されるようにコントローラ１４および第１の発光素子１２に接続されている。トランジスタ回路１９は、ＰＮＰトランジスタ１９aと、ＮＰＮトランジスタ１９bと、ベース抵抗２０a,２０bと、プルアップ抵抗２１a,２１bとから構成されている。ＰＮＰトランジスタ１９aおよびＮＰＮトランジスタ１９bそれぞれのベース端子にはベース抵抗２０a,２０bが接続され、コレクタ−ベース間にはプルアップ抵抗２１a,２１bが接続されている。またＰＮＰトランジスタ１９aのエミッタ端子には電源電圧２２とコンデンサ２３とが並行接続されている。ＮＰＮトランジスタ１９bのコレクタ端子はＮＰＮトランジスタがＯＮ状態になった場合に第２の発光素子１３が点灯させるように第２の発光素子１３に接続されている。この発光素子駆動回路１５の原理動作は以下の通りである。
【００２９】
第１の発光素子１２が消灯している場合、ＮＡＮＤゲート１８aの入力端子には、第１の発光素子のＯＦＦ信号であるハイレベル信号が入力される。二次電池用チャージャがＤＣプラグ１０に挿入している場合、ＮＡＮＤゲート１８aの入力端子には、二次電池用チャージャの挿入信号であるハイレベル信号が入力される。これによりＮＡＮＤゲート１８aの出力はロウレベルとなる。ＮＡＮＤゲート１８aの出力端子はベース抵抗２０aを介してトランジスタ回路１９のＰＮＰトランジスタ１９aのベース端子に接続されているので、ＮＡＮＤゲート１８aの出力がロウレベルとなることによってＰＮＰトランジスタ１９aがＯＮ状態になる。ＰＮＰトランジスタ１９aがＯＮ状態になると、ＰＮＰトランジスタ１９aのコレクタ端子はベース抵抗２０bを介してＮＰＮトランジスタ１９bのベース端子に接続されているので、ＮＰＮトランジスタ１９bにベース電流が流れる。これによりＮＰＮトランジスタ１９bがＯＮ状態となり、ＮＰＮトランジスタ１９bのコレクタ−エミッタ間に電流が流れ、コレクタ端子の出力がロウレベルになる。これによりＮＰＮトランジスタ１９bに接続された第２の発光素子１３が点灯する。
【００３０】
ＮＰＮトランジスタ１９bのベース端子とＰＮＰトランジスタ１９aのコレクタ端子との間のベース抵抗２０bは、小型携帯端末１が使用機能状態にある場合の第２の発光素子１３の輝度が、二次電池９が充電完了時に点灯する場合の第２の発光素子１３の輝度より明るくなるように相対的に高い抵抗値となるように選択調整されている。また第１の発光素子１２および第２の発光素子１３の出力はいずれもオープンドレインの出力であるので発光素子駆動回路１５とコントローラ１４内の各回路とはアイソレーションが取れており、互いに影響を与えることはない。また発光素子駆動回路１５のＮＡＮＤ回路１８のリーク電流は１uA程度の微小電流であり、トランジスタ回路１９のリーク電流は１uA以下の微小電流であるために二次電池９の寿命に影響を与えることはない。
【００３１】
図３は本発明の一実施形態である小型携帯端末が電源ＯＦＦ状態（即ち未使用状態）である発光素子駆動回路の動作を示すタイムチャート図であり、図３(a)は二次電池９が充電中である状態を示し、図３(b)は二次電池９が充電完了した状態を示す。縦軸は電位レベルを示し、横軸は時間を示す。二次電池用チャージャの挿入信号が入力されるＮＡＮＤゲート１８aの入力レベルはＥで示され、第１の発光素子のＯＦＦ信号が入力されるＮＡＮＤゲート１８aの入力レベルはＦで示され、ＮＡＮＤゲート１８aの出力レベルはＧで示され、ＮＰＮトランジスタ１９bのコレクタ端子の電位レベルをＨで示す。
【００３２】
図３(a)に示されるように二次電池９が充電中である場合には第１の発光素子１２は点灯し、第２の発光素子１３は消灯している。この場合の発光素子駆動回路１５の動作は次の通りである。二次電池９を充電するために二次電池用チャージャがＤＣプラグ１０に挿入されるので、入力レベルＥはハイレベルであり、二次用チャージャの挿入信号が入力されている状態である。また二次電池９が充電中であるから、コントローラ１４が第１発光素子を点灯させている。このため第１の発光素子のＯＦＦ信号は入力されておらず、入力レベルＦはロウレベルである。このようにＮＡＮＤゲート１８aの入力の一方がハイレベルで、他方がロウレベルであることから、ＮＡＮＤゲート１８aの出力レベルを示すＧはハイレベルとなり、ＰＮＰトランジスタ１９aはＯＮ状態にならない。これによりベース端子がＰＮＰトランジスタ１９aのコレクタ端子と接続されているＮＰＮトランジスタ１９bもＯＮ状態とならない。ＮＰＮトランジスタ１９bがＯＦＦ状態であるため、ＮＰＮトランジスタのコレクタ−エミッタ間に電流は流れず、ＮＰＮトランジスタ１９bのコレクタ端子の電位レベルＨはハイレベルとなり、第２の発光素子１３は消灯している。
【００３３】
図３(b)に示されるように二次電池９が充電完了した場合には第１の発光素子１２が消灯し、第２の発光素子１３が点灯している。この場合の発光素子駆動回路１５の動作は次の通りである。二次電池９が充電完了となりことで第１の発光素子１２が消灯するために第１の発光素子のＯＦＦ信号が入力され、入力レベルＦはハイレベルとなる。入力レベルＥは二次電池用チャージャの挿入信号によってハイレベルのままであるから、ＮＡＮＤゲート１８aの入力の双方がハイレベルとなる。これによりＮＡＮＤゲート１８aの出力レベルＧはロウレベルとなり、ＰＮＰトランジスタ１９aはＯＮ状態になり、ＰＮＰトランジスタ１９aのコレクタ端子からベース抵抗２０bを介してＮＰＮトランジスタ１９bのベース端子にベース電流が流れる。これによりＮＰＮトランジスタ１９bがＯＮ状態となる。ＮＰＮトランジスタ１９bがＯＮ状態になると、ＮＰＮトランジスタ１９bのコレクタ−エミッタ間に電流が流れ、コレクタ端子の電位レベルＨはロウレベルとなり、第２の発光素子１３が点灯する。
【００３４】
図４は本発明の一実施形態である小型携帯端末が電源ＯＮ状態（即ち待機状態か使用機能状態）である発光素子駆動回路の動作を示すタイムチャート図である。図４(a)は二次電池９が充電中である状態を示し、図４(b)は二次電池９が充電中である状態から充電完了した状態までを示し、図４(c)は二次電池９の充電完了した状態を示す。図３と同様に、縦軸は電位レベルを示し、横軸は時間を示し、二次用チャージャの挿入信号入力されるＮＡＮＤゲート１８aの入力レベルＥは一点鎖線で示され、第１の発光素子のＯＦＦ信号が入力されるＮＡＮＤゲート１８aの入力レベルＦは二点鎖線で示され、ＮＡＮＤゲート１８aの出力レベルＧは破線で示され、ＮＰＮトランジスタ１９bのコレクタ端子の電位レベルＨは実線で示される。
【００３５】
図４(a)〜(c)には小型携帯端末１が使用機能状態になることにより、第２の発光素子１３が使用機能状態に応じて点滅する状態が示されている。即ちコントローラ１４が使用機能状態に応じて第２の発光素子１３が点灯させ、これにより第２の発光素子１３と接続されたＮＰＮトランジスタ１９bのコレクタ端子の電位レベルＨが瞬時にＶＬにまで低下する。次いでコントローラ１４が第２の発光素子１３を元の状態にすることによってＮＰＮトランジスタ１９bのコレクタ端子の電位レベルＨは元の電位レベルに戻っている。なお図示された点滅は１回のみであるが、小型携帯端末１の使用機能状態によって応じて点滅回数は変化する。
【００３６】
図４(a)に示される発光素子駆動回路１５の動作は図３(a)に示された発光素子駆動回路１５の動作と同様であるが、電位レベルＨが瞬間的にＶＬにまで低下している点で図３(a)と異なっている。電位レベルＨが瞬間的に低下したのは上述したように小型携帯端末１が使用機能状態になることによってコントローラ１４が第２の発光素子１３を使用機能状態に応じて点滅させたためである。第１の発光素子１２は二次電池９が充電中であるために点灯している。第２の発光素子１３は消灯しているが、小型携帯端末１が使用機能状態になることによって１回点滅する。
【００３７】
図４(b)に示される発光素子駆動回路１５の動作は、二次電池９の充電完了時ｔＦまでは図４(a)の場合と同様であり、二次電池９の充電完了時ｔＦ以降は図３(b)の場合と同様である。
図４(b)の二次電池９の充電完了時ｔＦまでは、第１の発光素子１２は点灯した状態である。第２の発光素子１３は消灯しているが、小型携帯端末１が１回使用機能状態になることに応じて１回点滅する。二次電池９充電完了時ｔＦ以降は、二次電池９が充電完了であるから第１の発光素子１２は消灯し、第２の発光素子１３は点灯する。
【００３８】
ここで二次電池９の充電完了時ｔＦ以降の第２の発光素子１３の輝度は、小型携帯端末１が使用機能状態になることによって第２の発光素子１３が点滅する場合の輝度より低くなっている。即ち発光素子駆動回路１５が二次電池９の充電完了時に点灯させる第２の発光素子１３の輝度は、コントローラ１４が小型携帯端末１が使用機能状態である場合に点滅させる第２の発光素子１３の輝度より低くなっている。このような輝度の高低は発光素子駆動回路１５のベース抵抗２０bの抵抗値を相対的に高い値に選択調整することによって生じる。この輝度の高低は、第２の発光素子１３の輝度が高くなるとＮＰＮトランジスタ１９bのコレクタ端子の電位レベルがより低くなることから、図４(b)においては、第２の発光素子１３に接続されたＮＰＮトランジスタ１９bのコレクタ端子の電位レベルＨの高低によって示されている。図４(b)に示されるように、ＮＰＮトランジスタ１９bのコレクタ端子の電位レベルＨは、二次電池９の充電完了である二次電池９の充電完了時ｔＦ以降よりも、二次電池９の完了時ｔＦ以前の小型携帯端末１が使用機能状態になった場合のＶＬの方がより低下している。
【００３９】
図４(c)に示される発光素子駆動回路１５の動作は図３(b)に示された発光素子駆動回路１５の動作と同様であるが、電位レベルＨが瞬間的に低下している点で図３(b)と異なっている。電位レベルＨが瞬間的にＶＬにまで低下したのは上述したように小型携帯端末１が使用機能状態になることによってコントローラ１４が第２の発光素子１３を使用機能状態に応じて点滅させたためである。第１の発光素子１２は二次電池９が充電完了であるために消灯している。第２の発光素子１３は、二次電池９が充電完了することで点灯しているが、小型携帯端末１が使用機能状態になると１回点滅する（即ち、より高い輝度にて１回点灯し、次いで元の輝度にて点灯を続ける）。
【００４０】
本実施形態の発光素子駆動回路１５はＮＡＮＤ回路１８の出力端子とＮＰＮトランジスタ１９bのベース端子との間にＰＮＰトランジスタ１９aを接続しているが、これに限定されず、図５に示されるようにＡＮＤ回路２４の出力端子とＮＰＮトランジスタ１９bのベース端子とをベース抵抗２０ｂを介して接続するように構成してもよい。
【００４１】
以上のように説明してきた小型携帯端末１は、本発明の一実施形態に過ぎず、本発明は、この実施形態に限定されることはなく、請求の範囲に基く技術的範囲内で適宜変更して実施することができる。
【図面の簡単な説明】
【００４２】
【図１】図１は本発明の一実施形態である小型携帯端末の簡略ブロック図である。
【図２】図２は本発明の一実施形態である小型携帯端末の発光素子駆動回路の一例を示した回路図である。
【図３】図３は本発明の一実施形態である小型携帯端末が電源ＯＦＦ状態である発光素子駆動回路の動作を示すタイムチャート図である。
【図４】図４は本発明の一実施形態である小型携帯端末が電源ＯＮ状態である発光素子駆動回路の動作を示すタイムチャート図である。
【図５】図５は本発明の別の実施形態である小型携帯端末の発光素子駆動回路を示した回路図である。
【符号の説明】
【００４３】
１  小型携帯端末
９  二次電池
１２  コントローラ
１３  第１の発光素子
１４  第２の発光素子
１５  発光素子駆動回路
１７  表示制御手段
【図１】
2007209172.tif 000003
【図２】
2007209172.tif 000004
【図３】
2007209172.tif 000005
【図４】
2007209172.tif 000006
【図５】
2007209172.tif 000007